(57)【要約】【課題】肩掛けベルトで、ケースを肩に掛けたときに、ケースの水平を保つ。【解決手段】この肩掛けベルトＢはケース側の一対の取付ベルト１と肩掛け側のベルト２とにより構成される。ケースＣをこの肩掛けベルトＢを使ってケースＣを使用する人の肩に掛ける際に、人の体の大きさや形状に合せて、ケースＣの物品載置面が水平を取り得るように、肩掛け側のベルト２の各リング部２０によるケース側の各取付ベルト１の支持位置を調整し、その調整後の支持位置で、ケース側の各取付ベルト１と肩掛け側のベルト２とをスプリングホックにより固定する。【選択図】図６
2018126176.tif 000002
【特許請求の範囲】
【請求項１】
ケース、ボックス及びバッグを含むケース類の左右両側面の前部間及び前記左右両側面の後部間、又はケース類の天面の左右両側部の前部間及び前記左右両側部の後部間に、ケース類の天面側で架設され、前記天面に向けられる内側面に長さ方向に所定の間隔で又は連続して結合部材又は被結合部材の一方を固着されるケース側の一対の取付ベルトと、
両端に前記各取付ベルトを挿通し前記各取付ベルトを前記各取付ベルトの長さ方向任意の支持位置で支持可能な一対のリング部を有し、前記各リング部の内周面で前記各リング部に支持された前記各取付ベルトの内側面が接する位置に前記各取付ベルト内側面の前記結合部材又は被結合部材の一方と係合可能な前記結合部材又は被結合部材の他方を固着される肩掛け側のベルトと、
を備え、
ケース類を前記ケース側の一対の取付ベルト及び前記肩掛け側のベルトを使ってケース類を使用する人の肩に掛ける際に、ケース類を使用する人毎に体の大きさ、形状に合せて、ケース類の物品載置面が水平を取り得るように、前記肩掛け側のベルトの前記各リング部による前記ケース側の各取付ベルトの支持位置を調整し、当該調整後の支持位置で、前記ケース側の各取付ベルトの前記結合部材又は被結合部材の一方と前記肩掛け側のベルトの前記結合部材又は被結合部材の他方とを係合させることにより、前記ケース側の各取付ベルトと前記肩掛け側のベルトとを固定する、
ことを特徴とする肩掛けベルト。
【請求項２】
ケース側の各取付ベルト及び肩掛け側のベルトは合成樹脂材料又は皮革又は布により形成される請求項１に記載の肩掛けベルト。
【請求項３】
肩掛け側のベルトは、一端側の所定の位置で切り離されて、一端側の短いベルトエンドと他端側の長いベルト本体とからなり、前記ベルトエンドと前記ベルト本体はバックルを介して着脱可能に連結される請求項１又は２に記載の肩掛けベルト。
【請求項４】
肩掛け側のベルトは長さ調整用のアジャスタが装着される請求項１乃至３のいずれかに記載の肩掛けベルト。
【請求項５】
肩掛け側のベルトは滑り止め用のパッドが装着される請求項１乃至４のいずれかに記載の肩掛けベルト。
【請求項６】
結合部材及び被結合部材はスプリングホック又は面ファスナからなる請求項１乃至５のいずれかに記載の肩掛けベルト。
【発明の詳細な説明】
【技術分野】
【０００１】
本発明は、物品の輸送に用いるケースやボックス、また、一般のバッグなどに使用する肩掛けベルトに関し、特に、ケース、ボックス、バッグの中に収容した物品を水平に保持するのに有用な肩掛けベルトに関する。
【背景技術】
【０００２】
一般に、物品を収容し運搬するためのケースやボックスを肩に掛けて携行できるように、ケースやボックスに肩掛けベルトが取り付けられる。この場合、例えば特許文献１、２に記載されているように、肩掛けベルトは両端がケースやボックスの前後両側の中央に取り付けられる。一般のバックにおいても同様である。
【０００３】
ところが、肩掛けベルト（の両端）がケースやボックスの前後両側の中央に取り付けられていると、肩掛けベルトを肩に掛けてケースやボックスを肩から下げたときに、ケースやボックスは斜めになってしまい、ケースやボックスの上面の角が体に当たり、ケースやボックスが硬いと痛くなる。また、このケースやボックスを傾いたまま携行すると、それが左右方向に揺れやすく、歩きにくいだけでなく、ケースやボックスの中の物品が崩れたり壊れたりすることがある。一般のバックにおいても同様である。
【０００４】
ところで、近年、ｉＰＳ細胞の登場により、国内における再生医療の臨床研究が加速し、現在、培養や分化に関する研究開発が進められている。そして近時は、ｉＰＳ細胞を凍結せず生の状態で研究機関や企業に配布することが開始され、これにより解凍などの手間がなくなり、効率が上がることが期待されている。ｉＰＳ細胞を凍結せずに生で配布する場合、ｉＰＳ細胞はシャーレなどの容器に入れ輸送用のケースに収容して車両などにより輸送することとなるが、この場合、生きた細胞にダメージを与えず活性を維持した状態で輸送することが求められ、温度管理、ガス（酸素、二酸化炭素）管理、輸送中の振動などの外力からの保護などが必要になる。
【０００５】
この種の細胞の輸送に用いられるケースが特許文献３により提案されている。この文献３のケースは、雰囲気調整剤と、気体は透過するが液体は実質的に透過しない隔離膜を有する細胞収容容器とを備え、細胞にストレスを与えずに細胞の輸送及び／又は保管を行うことができるようになっている。また、この容器では、細胞収容容器を保持する装着部やスウィング機構部を設けることができるとしている。この場合、装着部は、密閉容器内に設けられ、細胞を保持できるものとされ、スウィング機構部は、密閉容器の内部壁面に対し、装着部を揺動自在に支持して、細胞や培地などの内容物を安定して保持できるものとされている。さらに、この容器には、温度制御機構や衝撃緩衝機構を設けることができるとしている。
【０００６】
しかし、このようなケースでも、ケースに肩掛けベルトを取り付けてケースを肩に掛けて輸送する場合、既述のように、肩掛けベルトをケースの前後両側の中央に取り付けてしまうと、ケースを肩掛けベルトで肩に掛けたときに、ケースの角が体（例えば骨盤当たり）に当たって、ケースは斜めになってしまい、このまま携行すると、ケースは左右方向に揺れやすく、その結果、ケース内のｉＰＳ細胞は破壊されることになる。ケースを常に水平に保持するのは至難の業である。
【０００７】
そこで、ケース、ボックス、バッグの中に収容した物品を水平に保持可能な先行技術について調べてみると、ボックス本体を肩掛けベルトで肩に掛けたときでもボックス本体を人体と略平行となるようにした肩掛け用ボックスが特許文献４により提案されている。
この肩掛け用ボックスは、クーラーボックスとして例示されており、平面長方形のボックス本体の前後両側面の略中央に第１ベルト通しが形成され、また、このボックス本体の底面の前後であって、このボックス本体を肩から下げたときに人体側とは反対側の外側部分に第２ベルト通しが形成される。そして、肩ベルトは、この第１、２ベルト通しに通されエンドレスにつなげられて、ボックス本体に対して、所定の角度を保った状態に取り付けられる。このようにしてこのベルトを肩に掛けると、ボックス本体は人と略平行に保たれ、ボックス本体を人と略平行に保つことで、ボックス本体はほとんど揺れず、ボックス内のものは形がくずれたり壊れたりすることがない。
【先行技術文献】
【特許文献】
【０００８】
【特許文献１】特開２００１−  １０６３８号公報
【特許文献２】特開２００１−１２０３３０号公報
【特許文献３】特開２０１４−  ８３００２号公報
【特許文献４】実開平６−  ４８４１７号公報
【発明の概要】
【発明が解決しようとする課題】
【０００９】
しかしながら、特許文献４の肩掛け用ボックスでは、肩ベルトが、ボックス本体の前後両側面の略中央に形成された第１ベルト通しに通され、このボックス本体の底面の前後で外側部分に形成された第２ベルト通しに通されて、ボックス本体に対して所定の角度を保った状態に取り付けられており、肩掛けベルトの角度が固定されるため、この角度を人毎に異なる体の大きさや体形に合せて変更することができず、これでは、人毎のさまざまな体の大きさや体形に応じてボックス本体を水平に保つことができない、という問題がある。
【００１０】
本発明は、このような従来の問題を解決するもので、この種の肩掛けベルトにおいて、ケース、ボックス及びバッグを含むケース類を使用する人が、肩掛けベルトで、ケース類を肩に掛けたときに、ケース類（の物品載置面）を水平に保ち、ケース類の中に収容した物品を形が崩れたり破壊したりすることなく保持できるようにすること、を目的とする。
【課題を解決するための手段】
【００１１】
上記目的を達成するために、本発明は、
ケース、ボックス及びバッグを含むケース類の左右両側面の前部間及び前記左右両側面の後部間、又はケース類の天面の左右両側部の前部間及び前記左右両側部の後部間に、ケース類の天面側で架設され、前記天面に向けられる内側面に長さ方向に所定の間隔で又は連続して結合部材又は被結合部材の一方を固着されるケース側の一対の取付ベルトと、
両端に前記各取付ベルトを挿通し前記各取付ベルトを前記各取付ベルトの長さ方向任意の支持位置で支持可能な一対のリング部を有し、前記各リング部の内周面で前記各リング部に支持された前記各取付ベルトの内側面が接する位置に前記各取付ベルト内側面の前記結合部材又は被結合部材の一方と係合可能な前記結合部材又は被結合部材の他方を固着される肩掛け側のベルトと、
を備え、
ケース類を前記ケース側の一対の取付ベルト及び前記肩掛け側のベルトを使ってケース類を使用する人の肩に掛ける際に、ケース類を使用する人毎に体の大きさ、形状に合せて、ケース類の物品載置面が水平を取り得るように、前記肩掛け側のベルトの前記各リング部による前記ケース側の各取付ベルトの支持位置を調整し、当該調整後の支持位置で、前記ケース側の各取付ベルトの前記結合部材又は被結合部材の一方と前記肩掛け側のベルトの前記結合部材又は被結合部材の他方とを係合させることにより、前記ケース側の各取付ベルトと前記肩掛け側のベルトとを固定する、
ことを要旨とする。
また、この肩掛けベルトは各部に次のような構成を備えることが好ましい。
（１）ケース側の各取付ベルト及び肩掛け側のベルトは合成樹脂材料又は皮革又は布により形成される。
（２）肩掛け側のベルトは、一端側の所定の位置で切り離されて、一端側の短いベルトエンドと他端側の長いベルト本体とからなり、前記ベルトエンドと前記ベルト本体はバックルを介して着脱可能に連結される。
（３）肩掛け側のベルトは長さ調整用のアジャスタが装着される。
（４）肩掛け側のベルトは滑り止め用のパッドが装着される。
（５）結合部材及び被結合部材はスプリングホック又は面ファスナからなる。
【発明の効果】
【００１２】
本発明の肩掛けベルトによれば、ケース側の一対の取付ベルトと肩掛け側のベルトとを備え、ケース類をケース側の一対の取付ベルト及び肩掛け側のベルトを使ってケース類を使用する人の肩に掛ける際に、ケース類を使用する人毎に体の大きさ、形状に合せて、ケース類の物品載置面が水平を取り得るように、肩掛け側のベルトの各リング部によるケース側の各取付ベルトの支持位置を調整し、当該調整後の支持位置で、ケース側の各取付ベルトの結合部材又は被結合部材の一方と肩掛け側のベルトの結合部材又は被結合部材の他方とを係合させることにより、ケース側の各取付ベルトと肩掛け側のベルトとを固定するようにしたので、ケース類を使用する人毎に、この肩掛けベルトでケース類を肩に掛けたときに、ケース類（の物品載置面）を水平に保つことができ、ケース類の中に収容した物品を形が崩れたり破壊したりすることなく保持することができる、という本発明独自の格別な効果を奏する。
【図面の簡単な説明】
【００１３】
【図１】本発明の一実施の形態における肩掛けベルトの全体構成をケースとともに示す図（（ａ）は平面図（ｂ）は正面図（ｃ）は側面図）
【図２】同ベルトの特のケース側の取付ベルトの構成を示す図（（ａ）は平面図（ｂ）は側面図（ｃ）は部分拡大側面図）
【図３】同ベルトの特にベルト取付部材の構成、及びケースに用いられるパッチン錠の構成を示す図（正面図）
【図４】同ベルトの特の肩掛け側のベルトのベルトエンド及びバックルの雌部材の構成を示す図（（ａ）は平面図（ｂ）は側面図）
【図５】同ベルトの特の肩掛け側のベルトのベルト本体及びバックルの雄部材の構成を示す図（（ａ）は平面図（ｂ）は側面図）
【図６】同ベルトの使用例（特に、ケースを右肩に掛ける場合の使用例）を示す図
【図７】同ベルトの使用例（特に、ケースを左肩に掛ける場合の使用例）を示す図
【発明を実施するための形態】
【００１４】
次に、この発明を実施するための形態について図を用いて説明する。
図１に肩掛けベルトを示している。
なお、この実施の形態において、肩掛けベルトは、ｉＰＳ細胞などの細胞その他少しの振動でも損傷しやすいデリケートな物品を輸送するのに用いるケースに使用するものとして例示している。図１に示すように、この場合、ケースＣは、アルミニウム製で、天面に開口を有する箱形のケース本体９１と、ケース本体９１の天面開口上に一方の側縁部にヒンジ部材を介して開閉可能に取り付けられる蓋９２とからなり、ケース本体９１内部には細胞の保護装置（図示省略）を装備される。また、蓋９２はケース本体９１の天面開口上に倒伏されてこの開口が閉じられ、この閉状態は、図３に示すように、パッチン錠９３（ケース本体９１の天面開口他方の側縁部に近接して固着される一対の掛け金具９３１とこれらの掛け金具９３１に対応して蓋９２の側面に固着される一対の受け金具９３２との係合）により固定される。このケースＣは、ケース本体９１内部の物品載置面がケース本体９１の底面と平行になっており、このケースＣを水平な面におけば、ケース本体９１内部の物品載置面は水平となる。
【００１５】
図１に示すように、肩掛けベルトＢは、ケース側の一対の取付ベルト１と、肩掛け側のベルト２とを備えて構成される。
この肩掛けベルトＢにおいて、ケース側の各取付ベルト１は、ケースＣの左右両側面の前部間及び左右両側面の後部間に、ケースＣの天面側で架設可能に構成され、ケースＣの天面に向けられる内側面に長さ方向に所定の間隔で結合部材３１又は被結合部材３２の一方を固着される。
また、肩掛け側のベルト２は、両端に各取付ベルト１を挿通し各取付ベルト１を各取付ベルト１の長さ方向任意の支持位置で支持可能な一対のリング部２０を有し、各リング部２０の内周面で各リング部２０に支持された各取付ベルト１の内側面が接する位置に各取付ベルト１内側面の結合部材３１又は被結合部材３２の一方と係合可能な結合部材３１又は被結合部材３２の他方を固着される。
【００１６】
この肩掛けベルトＢでは、図１に示すように、ケース側の一対の取付ベルト１がそれぞれ、ナイロンなどの合成樹脂材料により所定の幅、長さに形成される。この場合、これらの取付ベルト１は、両端がケースＣの左右両側面の上部側所定の位置に固定されケースＣの天面上に架け渡された状態で、各取付ベルト１を上方に引っ張ると、各取付ベルト１とケースＣ（蓋９２）の天面との間に小さい三角形ができる程度の長さを有する。また、この場合、各取付ベルト１は、図２に示すように、両端がそれぞれ折り返され縫合されて、環状部１０が形成され、これらの環状部１０に各取付ベルト１をケースＣに取り付けるためのベルト取付部材１１（図１（ｃ）参照）が装着される。このベルト取付部材１１は、図３に示すように、ステンレス鋼の細長い板により、断面ハット形に形成されて、中間部にベルト取付部１１１が設けられ、両端に孔が穿たれてねじ挿通部１１２が設けられる。これらのベルト取付部材１１は各取付ベルト１両端の各環状部１０に通されて装着される。各取付ベルト１はケースＣの左右両側面所定の位置に両端の各ベルト取付部材１１を介して、すなわち、ベルト取付部１１１が略水平方向に向けられ両端のねじ挿通部１１２がケースＣの左右両側面に合わせられて、各ねじ挿通部１１２に取付ねじＳを通しケースＣの左右両側面に締結することにより取り付けられる。
また、結合部材３１及び被結合部材３２は、図２に示すように、スプリングホックの雄側ホックと雌側ホックとにより構成され、各取付ベルト１には内側面の中間部所定の範囲に複数の雄側のホック３１が所定の間隔で等間隔に固着される。この場合、雄側ホック３１はホック本体金具３１１とカシメ金具３１２とからなり、ホック本体金具３１１は取付ベルト１の内側で、カシメ金具３１２が取付ベルト１の外側から噛み合わされ、両者をカシメて取り付けられる。
【００１７】
この肩掛けベルトＢでは、図１に示すように、肩掛け側のベルト２がナイロンなどの合成樹脂材料により所定の幅、長さに形成される。
また、肩掛け側のベルト２は、一端側の所定の位置で切り離されて、一端側の短いベルトエンド２２と他端側の長いベルト本体２１とからなり、このベルト２両端のリング部２０は一方がベルトエンド２２の一端に形成され、他方がベルト本体２１の他端に形成される。
この場合、ベルトエンド２２は、図４に示すように、所定の長さを有するベルトエンド基材の一端側の所定の範囲が所定の位置で折り返されて２重構造にして形成される。なお、このベルトエンド基材が所定の位置で折り返されてその一端ｅ１と重なる部分をベルトエンドの他端ｅ２とする。リング部２０は、ベルトエンド基材の他端側を、他端から所定の長さの一部を固定端ｅ３として残し、略三角形状に加工され、固定端ｅ３をベルトエンドの一端ｅ１と他端ｅ２との間に挿入しこのベルトエンド２２の一端ｅ１、他端ｅ２間を縫着することにより固定され、ベルトエンド２２の他端ｅ２に連続して略三角形に形成される。
また、ベルト本体２１は、図５に示すように、所定の長さのベルト本体基材の一端側が所定の位置で折り返され２重構造にして形成される。なお、このベルト本体基材が所定の位置で折り返されてその一端Ｅ１と重なる部分をベルト本体の他端Ｅ２とする。ベルト本体基材の他端側は所定の長さが残され、他端側にリング部２０が形成される。リング部２０は、ベルト本体基材の他端側を、他端から所定の長さの一部を固定端Ｅ３として残し、略三角形状に加工され、固定端Ｅ３をベルト本体の他端Ｅ２近傍に縫着することにより固定され、ベルト本体２１の他端Ｅ２に連続して略三角形に形成される。
結合部材３１及び被結合部材３２は、既述のとおり、スプリングホックの雄側ホック３１と雌側ホック３２とにより構成され、各リング部２０の三角形の底部で内周面の中央部に１つ雌側のホック３２が固着される。この場合、雌側のホック３２はホック本体金具３２１とカシメ金具３２２とからなり、ホック本体金具３２１がリング部２０の底部の内周面で、カシメ金具３２２がリング部２０の外周面側から噛み合わされ、両者をカシメて取り付けられる。
このようにして肩掛け側のベルト２の各リング部２０にケース側の各取付ベルト１が常態として通される。なお、この場合、肩掛け側のベルト２の各リング部２０のスプリングホックの雌側ホック３２とケース側の各取付ベルト２のスプリングホックの任意の雄側ホック３１とを係合させて両者を結合することにより、肩掛け側のベルト２の各リング部２０からケース側の各取付ベルト１が外れることがない。
【００１８】
これらベルトエンド２２とベルト本体２１は、図１に示すように、バックル４を介して着脱可能に連結される。ここでバックル４は、図４、図５に示すように、雄部材４１と、雌部材４２とにより構成される。雄部材４１は、図５に示すように、先端側が平面視略「Ｅ」字形状に形成されて、左右両側に左右方向に撓み変形可能な一対の係止爪４１１、その中央にガイド突起４１２がそれぞれ設けられ、後端側が平面視略「日」字形のフレーム状に形成されて、前半部にベルト挿通部４１３、ベルト係止部４１４、後半部にベルト挿通部４１５、ベルト係止部４１６が交互に設けられる。この雄部材４１は、ベルト本体２１が雄部材４１後端側の各ベルト挿通部４１３、４１５に通され、ベルト本体２１の折り返し部近傍が各ベルト係止部４１４、４１６に係止されて、ベルト本体２１の折り返し部に固定して取り付けられる。雌部材４２は、図４に示すように、先端から中間にかけてが雄部材４１の幅よりも幅狭にして雄部材４１の先端側を挿入可能に略角筒状に形成されるとともに中間の左右両側面に雄部材４１の各係止爪４１１が係合可能に開口を切り欠かれて、各係止爪４１１の挿通係止部４２０が設けられ、この先端から中間にかけての中央に前後方向に延びる隔壁を形成されて、雄部材４１のガイド突起４１２を係合案内するガイド部４２１が設けられ、後端はフレーム状に形成され、その前後方向中間に左右方向に延びるスリットを形成されて、ベルト挿通部４２２が設けられる。この雌部材４２は、ベルトエンド２２の一端側が雌部材４２後端側のベルト挿通部４２２に通され、ベルトエンド２２の一端ｅ１と後端ｅ２がリング部２０の固定端ｅ３とともに縫着されることで、ベルトエンド２２の折り返し部に取り付けられる。このようにしてバックル４のベルト本体２１側の雄部材４１の先端側、すなわち、一対の係止爪４１１を（各係止爪４１１の基端側の側面に形成される図示されない押しボタンの操作により）中央のガイド突起４１２側に撓ませてベルトエンド２２側の雌部材４２の先端から挿入し、雌部材４２の先端から中間に向けて押し込むことにより、雄部材４１の各係止爪４１１の先端（爪の部分）が雌部材４２の中間左右両側面の挿通係止部４２０から突出して各挿通係止部４２０縁部に弾性係合し、これにより、雄部材４１と雌部材４２が結合されて、ベルト本体２１とベルトエンド２２が連結される。なお、ベルト本体２１とベルトエンド２２を切り離す場合は、雄部材４１の一対の係止爪４１１を（各係止爪４１１の基端側の側面に形成される図示されない押しボタンの操作により）中央のガイド突起４１２側に撓ませて雌部材４２の各挿通係止部４２０との係合を解除し、そのまま雌部材４２から雄部材４１を引き出せばよい。
【００１９】
また、この肩掛けベルトＢには、図５に示すように、２重構造のベルト本体２１に、長さ調整用のアジャスタ５及び滑り止め用のパッド６が装着される。
長さ調整用のアジャスタ５は、左右方向に長い略矩形状のフレーム５１と、フレーム５１の上面側で左右両側部の前後方向中央部間に延び、フレーム５１の前部又は後部と略同じ大きさの棒状をなすベルト係止部５２とからなり、フレーム５１の前部及び後部とベルト係止部５２との間がベルト挿通部５３になっている。なお、このアジャスタ５のベルト係止部５２は上部が断面三角形に形成され、上面の前部側が前方に向けて下り傾斜の傾斜面に、上面の後部側が後方に向けて下り傾斜の傾斜面になっている。このようなアジャスタ５がベルト本体２１の折り返し部側の所定の位置とベルト本体２１の両端Ｅ１、Ｅ２側の所定の位置に、２重のベルト本体２１がアジャスタ５の前側のベルト挿通部５３に下面側から通しベルト係止部５２の上面上を回り込んで後側のベルト挿通部５３に上面側から通されて、取り付けられる。このようにして各アジャスタ５において各アジャスタ５から２重のベルト本体２１を緩め、下側のベルト本体２１を上側のベルト本体２１側に繰り出せば、２重のベルト本体２１全体が長くなり、上側のベルト本体２１を下側のベルト本体２１側に繰り入れれば、２重のベルト本体２１全体が短くなり、２重のベルト本体２１の長さを調節できるようになっている。
滑り止め用のパッド６は、合成ゴムなどの弾性材料により、扁平の細長い長方形状に形成され、上面側に前後方向に延び、ベルト本体２１を案内するための溝６１、その両端部に、左右両側面間に延び、ベルト本体２１を係止するためのベルト係止部６２、及び各ベルト係止部６２に対向して上面、下面間を貫通して形成され、ベルト本体２１を各ベルト係止部６２の下に回り込ませるための開口６３を有する。このようなパッド６が２重のベルト本体２１の中間部に、２重のベルト本体２１がパッド６上面の溝６１に各ベルト係止部６２の下を回り込んで嵌め込まれて、取り付けられる。このようにしてパッド６が２重のベルト本体２１に取り付けられ、ベルト本体２１の肩への食い込みを防止するとともに、ケースＣの肩からの吊り下げを安定させるになっている。
【００２０】
このようにして肩掛けベルトＢは、既述のとおり、各取付ベルト１がケースＣの左右両側面所定の位置に両端の各ベルト取付部材１１を介して、すなわち、ベルト取付部１１１が略水平方向に向けられ両端のねじ挿通部１１２がケースＣの左右両側面に合わせられて、各ねじ挿通部１１２に取付ねじＳを通しケースＣの左右両側面に締結することにより取り付けられ、ケースＣの左右両側面の前部間及び左右両側面の後部間に、ケースＣの天面側で架設される。そして、ケースＣを肩掛けベルトＢ、すなわち、このケース側の一対の取付ベルト１及び肩掛け側のベルト２を使って、ケースＣを使用する人の肩に掛ける際に、ケースＣを使用する人毎に体の大きさ、形状に合せて、ケースＣの物品載置面が水平を取り得るように、肩掛け側のベルト２の各リング部２０によるケース側の各取付ベルト１の支持位置を調整し、その調整後の支持位置で、ケース側の各取付ベルト１のスプリングホックの雄部材３１と肩掛け側のベルト２のスプリングホックの雌部材３２とを係合させることにより、ケース側の各取付ベルト１と肩掛け側のベルト２とを固定する。
【００２１】
図６、図７に肩掛けベルトの使用例を示している。なお、図６にケースＣを右肩に掛ける場合を例示し、図７にケースＣを左肩に掛ける場合を例示する。
図６、図７に示すように、まず、ケースＣを例えば水平な台の上に載せてケースＣの水平を取り、ケースＣを使用する人の身長や体形に合わせ、２重構造のベルト本体２１の長さを長さ調整用のアジャスタ５により調整しながら、ケースＣを使用する人の肩からケースＣに向けて延びる肩掛け側のベルト２の各リング部２０によるケース側の各取付ベルト１の支持位置をケースＣの水平を保つ適宜の位置に調整する。そしてその調整後の支持位置で、肩掛け側のベルト２のスプリングホックの雌部材３２とこの雌部材３２に対応するケース側の各取付ベルト１のスプリングホックの雄部材３１とを合わせ、両者を係合させて（図１参照）、ケース側の各取付ベルト１と肩掛け側のベルト２とを固定する。
かくして、ケースＣを使用する人毎に、この肩掛けベルトＢでケースＣを肩に掛けたときに、ケースＣ（の物品載置面）を水平に保つことができる。これにより、ケースＣを肩掛けベルトＢで肩に掛けて輸送する場合に、ケースＣ（の物品載置面）の水平を継続的に保つことができ、ケースＣの中に収容したｉＰＳ細胞などの細胞その他少しの振動でも損傷しやすいデリケートな物品を形が崩れたり破壊したりすることなく確実に保持することができる。
【００２２】
以上説明したように、この肩掛けベルトＢによれば、このベルトＢをケース側の一対の取付ベルト１と肩掛け側のベルト２とにより構成し、ケースＣをこのベルトＢを使ってケースＣを使用する人の肩に掛ける際に、ケースＣを使用する人毎に体の大きさ、形状に合せて、ケースＣの物品載置面が水平を取り得るように、肩掛け側のベルト２の各リング部２０によるケース側の各取付ベルトＣの支持位置を調整し、その調整後の支持位置で、ケース側の各取付ベルト１のスプリングホックの雄側ホック３１と肩掛け側のベルト２のスプリングホックの雌側ホック３２とを係合させることにより、ケース側の各取付ベルト１と肩掛け側のベルト２とを固定するようにしたので、ケースＣを使用する人毎に、この肩掛けベルトＢでケースＣを肩に掛けたときに、ケースＣ（の物品載置面）を水平に保つことができ、ケースＣの中に収容したｉＰＳ細胞などの細胞その他少しの振動でも損傷しやすいデリケートな物品を形が崩れたり破壊したりすることなく保持することができる。
【００２３】
なお、この肩掛けベルトＢでは、ケース側の各取付ベルト１が、ケースＣの左右両側面の前部間及び左右両側面の後部間に、ケースＣの天面側で架設可能に構成されているが、ケース側の各取付ベルト１は、ケースＣ（蓋９２）の天面の左右両側部の前部間及び左右両側部の後部間に、ケースＣの天面側で架設可能に構成されてもよい。
また、この肩掛けベルトＢでは、結合部材３１又は被結合部材３２の一方がベルト本体２１のケースＣの天面に向けられる内側面に長さ方向に所定の間隔で固着されているが、結合部材３１又は被結合部材３２の一方がベルト本体２１のケースＣの天面に向けられる内側面に長さ方向に連続して固着されてもよい。
さらに、この肩掛けベルトＢでは、ケース側の一対の取付ベルト１、肩掛け側のベルト２がそれぞれ、ナイロンなどの合成樹脂材料により所定の幅、長さに形成されているが、皮革又は布により形成されてもよい。
またさらに、結合部材３１及び被結合部材３２は、スプリングホックの雄側ホックと雌側ホックとにより構成されているが、面ファスナの雄側ファスナと雌側ファスナとにより構成されてもよい。
このようにしても上記実施の形態と同様の作用効果を得ることができる。
【００２４】
また、この実施の形態では、肩掛けベルトＢをｉＰＳ細胞などの細胞その他少しの振動でも損傷しやすいデリケートな物品を輸送するのに用いるケースＣに使用するものとして例示したが、この肩掛けベルトＢは各種のケース、ボックス及びバッグに適用可能で、各種のケース、ボックス及びバッグにおいても上記と同様の作用効果を奏することは勿論である。
【符号の説明】
【００２５】
Ｃ  ケース
９１  ケース本体
９２  蓋
９３  パッチン錠
９３１  掛け金具
９３２  受け金具
Ｂ  肩掛けベルト
１  ケース側の取付ベルト
１０  環状部
１１  ベルト取付部材
１１１  ベルト取付部
１１２  ねじ挿通部
Ｓ  取付ねじ
２  肩掛け側のベルト
２０  リング部
２１  ベルト本体
Ｅ１  一端
Ｅ２  他端
Ｅ３  固定端
２２  ベルトエンド
ｅ１  一端
ｅ２  他端
ｅ３  固定端
３１  結合部材（スプリングホックの雄側ホック）
３１１  ホック本体金具
３１２  カシメ金具
３２  被結合部材（スプリングホックの雌側ホック）
３２１  ホック本体金具
３２２  カシメ金具
４  バックル
４１  雄部材
４１１  係止爪
４１２  ガイド突起
４１３  ベルト挿通部
４１４  ベルト係止部
４１５  ベルト挿通部
４１６  ベルト係止部
４２  雌部材
４２０  挿通係止部
４２１  ガイド部
４２２  ベルト挿通部
５  長さ調整用のアジャスタ
５１  フレーム
５２  ベルト係止部
５３  ベルト挿通部
６  滑り止め用のパッド
６１  溝
６２  ベルト係止部
６３  開口
【図１】
2018126176.tif 000003
【図２】
2018126176.tif 000004
【図３】
2018126176.tif 000005
【図４】
2018126176.tif 000006
【図５】
2018126176.tif 000007
【図６】
2018126176.tif 000008
【図７】
2018126176.tif 000009